【事件の表示】
　特願２００２−３１７２５１「多周波帯域アンテナ」拒絶査定不服審判事件〔平成１５年　７月　４日出願公開、特開２００３−１８８６４２〕について、次のとおり審決する。
【結　論】
　本件審判の請求は、成り立たない。
【理　由】
１．手続の経緯
　本願は、平成１４年１０月３１日（パリ条約による優先権主張２００１年１１月７日、米国）の出願であって、平成１７年２月２日付け拒絶理由通知に対して、同年８月８日付けで手続補正がされたが、同年９月１４日付けで拒絶査定され、これに対し、同年１２月１９日に拒絶査定不服の審判が請求されたものである。
　
２．本願発明
　特許請求の範囲の請求項１に係る発明（以下、「本願発明」という。）は、平成１７年８月８日付け手続補正書により補正された明細書及び図面の記載からみて、その特許請求の範囲の請求項１に記載された以下のとおりのものと認める。
　
「基板と、
　前記基板から第１の距離だけ外部に延出する、離れて配置される複数のモノポールアンテナ素子を有して、第１の周波数で動作する第１のアンテナアレーと、
　前記第１のアンテナアレーの外側に配置され、前記第１の距離よりも短い第２の距離だけ前記基板から外部に延出する、離れて配置される複数のアンテナ素子を有して、前記第１の周波数よりも低い第２の周波数で動作する第２のアンテナアレーと、
を備えることを特徴とする多周波帯域アンテナ。」
　
３．引用発明
　原審の拒絶理由に引用された米国特許第５,８３８,２８２号明細書（以下、「引用例」という。）には図面とともに以下の事項が記載されている。
　
　イ．「FIELD OF THE INVENTION 
　
　The invention relates in general to multiband antenna systems and, more particularly, to antenna systems having multiple antenna arrays in a single aperture, wherein each array is adapted for operation in a different frequency range. 」（１欄３〜７行）
　
　訳文「発明の属する技術分野
　
　本発明は、一般的に、マルチバンドアンテナシステム、そして、より詳細には、単一のアパーチャ中に複数のアンテナアレーを持ち、各アレーが異なる周波数レンジで動作するようになっているアンテナシステムに関する。」
　
　ロ．「SUMMARY OF THE INVENTION 
　
　The present invention relates to a multiband antenna system which provides a high degree of design freedom for achieving desired antenna pattern shapes, in all relevant frequency bands, from a single antenna aperture. The system achieves this pattern shaping ability by utilizing a unique array configuration which is highly adaptable. The system may be produced as a lightweight, compact unit and, therefore, has broad application in satellite communications systems. The system also has application in land based communications systems which utilize multiple frequency bands. 
　
　In general, the antenna system of the present invention includes at least two separate arrays of antenna elements having a common or overlapping aperture. As used herein, the word aperture refers to a portion of a plane surface near an antenna through which a major part of the radiation would pass were the antenna being used in a transmit mode. Each of the separate arrays in the antenna system are adapted for operation in a separate frequency band and, as such, include radiating elements tuned for that frequency band. 
　
　In a first aspect of the present invention, a multiband antenna system is provided. The antenna system includes a first array of antenna elements operative in a first frequency range and a second array of antenna elements operative in a second frequency range. Both the first array and the second array include central elements which are substantially coaxially aligned with one another. The first array and the second array also include a first antenna aperture and a second antenna aperture, respectively, wherein the first antenna aperture and the second antenna aperture are at least partially overlapping. The first and second frequency bands are determined based on the particular application in which the antenna system is being implemented. Normally, one of the frequency bands will be associated with a satellite uplink or crosslink and the other with a satellite downlink or crosslink. For example, in a preferred embodiment, the first frequency band is UHF and is associated with a satellite crosslink and the second frequency band is L-band and is associated with a satellite downlink. 
　
　The first and second arrays may each include any type of radiating element which is capable of operating in the respective frequency range. The radiating elements may be capable of transmitting/receiving linearly, circularly, or elliptically polarized waves. In addition, the first and second arrays may each include more than one type of radiating element. For example, in a preferred embodiment, the first array includes a stacked patch antenna element and a plurality of quadrafilar helical elements. The element types chosen for a particular array depend on the overall antenna pattern desired for the array. 
　
　The inclusion of a central antenna element in both the first and second array improves the system's ability to achieve desired antenna patterns in each of the frequency ranges. By having the central elements coaxially aligned, beams produced by the first and second array can be coaxially aligned and the overall space taken up by the antenna system can be minimized. 
　
　One way of creating coaxially aligned central elements in accordance with the present invention is by mounting the central element of the second array upon the top of the central element of the first array. For example, the central element of the first array can include a stacked patch element having an upper conductive plate and a lower conductive plate. The central element of the second array can be mounted upon the top of the upper conductive plate of the stacked patch, using it as a ground plane. The central element of the second array may include, for example, a crossed dipole radiating element. 
　
　In addition to the central elements, the first and second. arrays may each include any number of separate ring arrays situated about their respective central element, the ring arrays each including a separate plurality of radiating elements. The ring arrays are preferably concentric with their respective central element for creating a substantially circularly symmetrical antenna beam. In addition, the ring arrays are preferably circular in shape, although other symmetrical shapes, such as ellipses, may be utilized. 」（２欄１４行〜３欄２５行）
　
　訳文「発明の要約
　
　本発明は、単一のアンテナアパーチャから、すべての当該周波数バンドで、望まれるアンテナパターンの形状を実現するため、高度な設計の自由度を提供するマルチバンドアンテナシステムに関する。本システムは、適応性の高い独特のアレー配置を利用することによって、このパターン形成能力を実現する。本システムは軽量の小型ユニットとして製造することが可能であり、従って衛星通信システムにおいて幅広い用途を有する。また本システムは、複数の周波数バンドを利用する地上通信システムにも用途を有する。
　
　一般的に、本発明のアンテナシステムは、共通アパーチャまたは重複アパーチャを有するアンテナエレメントの個別アレーを少なくとも2つ含む。「アパーチャ」という用語は、ここでは、アンテナが送信モードで使用される場合に、放射の大部分が通過する、アンテナに近接した平面部を指す。アンテナシステムの個別アレーの各々は、別々の周波数バンドでの動作にそれぞれ適合されており、そのようなものとして、その周波数バンドに合わせられた放射エレメントを含む。
　
　本発明の第1の態様では、マルチバンドアンテナシステムが規定される。本アンテナシステムは、第1周波数バンドで作用するアンテナエレメントの第1アレーと、第2周波数バンドで作用するアンテナエレメントの第2アレーを含む。第1アレーと第2アレーの双方は、実質的に互いに同軸上に並べられた中央エレメントを含む。また、第1アレーおよび第2アレーは、それぞれ第1アンテナアパーチャと第2アンテナアパーチャをも含み、ここでは第1アンテナのアパーチャと第2アンテナのアパーチャが少なくとも部分的に重なり合う。第1周波数バンドおよび第2周波数バンドは、アンテナシステムが実装される特定の用途に基づいて決定される。通常、周波数バンドの1つは衛星アップリンクまたはクロスリンクに関連付けられ、その他は衛星ダウンリンクまたはクロスリンクに関連付けられる。たとえば、好適な実施形態では、第1周波数バンドはUHFで、衛星アップリンクに関連付けられ、第2周波数バンドはLバンドで、衛星ダウンリンクに関連付けられる。
　
　第1アレーおよび第2アレーは、各々、当該周波数レンジで作動できるいかなる種類の放射エレメントを含みうる。放射エレメントは、直線偏波、円偏波、または楕円偏波の送受信を行える場合がある。さらに、第1アレーおよび第2アレーは、各々、複数の種類の放射エレメントを含む場合がある。たとえば、好適な実施形態では、第1アレーは、スタックパッチアンテナエレメントと複数の4線巻ヘリカルエレメントを含む。特定のアレーに選択されるエレメントの種類は、そのアレーに望まれる全体的なアンテナのパターンに依存する。
　
　第1アレーと第2アレーの両方に中央アンテナエレメントを含めると、望まれるアンテナパターンを各々の周波数レンジで実現するシステムの能力が向上する。中央エレメントを同軸上に並べることで、第1アレーおよび第2アレーで生成されるビームを同軸上に並べ、アンテナシステムが使用する全体的なスペースを最小化することができる。
　
　本発明に則って同軸上に並べられる中央エレメントを作成する方法の1つは、第2アレーの中央エレメントを第1アレーの中央エレメントの上部に取り付けるというものである。たとえば、第1アレーの中央エレメントは、上部伝導プレートと下部伝導プレートを有するスタックパッチエレメントを含むことができる。第2アレーの中央エレメントは、スタックパッチの上部伝導プレートを接地面として使用し、その上に取り付けられる。第2アレーの中央エレメントは、たとえば交差ダイポール放射エレメントを含むことができる。
　
　中央エレメントに加え、第1および第2アレーは、各々、各中央エレメントの周囲に位置する、任意の数の個別リングアレーを含む場合があり、そのリングアレーは、各々、個別の放射エレメントを複数含む。リングアレーは、実質的に回転対称アンテナビームを生成するために各中央エレメントと同心をなすことが望ましい。加えて、リングアレーは円形であることが望ましいが、たとえば楕円形など、その他の対称的な形状を使用することもできる。」
　
　ハ．「FIG. 2 is a front view of an antenna system 22 in accordance with the present invention. The antenna system 22 may be used, for example, in the Satellite 12 in System 10 of FIG. 1. In the preferred embodiment, the system 22 uses L-band as its downlink frequency band and UHF as its crosslink frequency band. The system 22 comprises: a support plate 24; a center unit 26 including a center UHF element 28, a center L-band element 30, and a plurality of L-band elements forming an inner L-band ring array 32 about center L-band element 30; a plurality of L-band elements forming an outer L-band ring array 34 about the center unit 26; and a plurality of UHF elements forming a UHF ring array 36 about the center unit 26. All of the L-band elements in the system 22 operate collectively to create a single transmit beam for communication with a remote entity. Similarly, all of the UHF elements operate collectively to create a single receive beam for receiving signals from a remote entity. 
　
　FIGS. 3A and 3B are a top view and side view, respectively, of the center section 26 of the antenna system 22 of FIG. 2. As illustrated in FIG. 3B, the center UHF element 28 comprises a stacked patch radiating element having an upper conductive plate 40 and a lower conductive plate 42. The two plates 40, 42 are substantially parallel to one another and are separated by a spacing 44 of substantially uniform thickness. If the stacked patch is being used in a transmit mode, an electromagnetic signal is delivered to a first of the two plates (i.e., the driven plate) and produces currents on this plate. The currents on the driven plate, in turn, create fields around the driven plate which induce currents on the second of the two plates (i.e., the parasitic plate). The fields created by the currents on the two plates then combine in the far-field to create a relatively high-gain antenna transmit beam in a direction perpendicular to the plane of the upper plate 40. If the stacked patch is being used in a receive mode, as in the preferred embodiment of the present invention, operation is substantially the reverse of the above. Either the upper plate 40 or the lower plate 42 can operate as the driven plate or, alternatively, both plates can operate as both driven plates and parasitic plates concurrently. In addition, further plates may be added to the stacked patch structure to obtain additional control over the impedance and bandwidth as well as the far-field pattern of the structure. 
　
　The center L-band element 30 and the inner L-band ring array 32 are situated on top of the upper conductive plate 40 of the stacked patch radiating element and use the upper plate 40 as a ground plane. As illustrated in FIG. 3A, center L-band element 30 is substantially centered on an upper surface of upper plate 40. The elements of the inner L-band ring array 32 are equally spaced at a radius r.sub.1 from the center of the upper plate 40. In the preferred embodiment, the center L-band element 30 and each of the elements in the inner L-band ring array 32 comprise crossed dipole radiating elements implemented using microstrip transmission line. Microstrip crossed dipole elements are desirable because they exhibit relatively low mutual coupling with adjacent elements. The microstrip crossed dipole elements of the preferred embodiment are elevated above the upper conductive plate 40 using a support tube 46. 」（５欄５６行〜６欄４８行）
　
　訳文「図2は、本発明に従ったアンテナシステム22の正面図である。たとえば、アンテナシステム22は図1のシステム10の衛星12で使用できる。好適な実施形態では、システム22はダウンリンク周波数帯としてLバンドを、そしてクロスリンク周波数帯としてUHFを使用する。システム22は、サポートプレート24、中央UHFエレメント28、中央Lバンドエレメント30、および中央Lバンドエレメント30の周囲に内部Lバンドリングアレー32を形成する複数のLバンドエレメントを含むセンターユニット26、センターユニット26の周囲に外部Lバンドリングアレー34を形成する複数のLバンドエレメント、そしてセンターユニット26の周囲にUHFリングアレー36を形成する複数のUHFエレメントを備える。システム22のLバンドエレメントはすべて全体として機能し、リモートエンティティと通信するための単一送信ビームを生成する。同様に、UHFエレメントはすべて全体として機能し、リモートエンティティからの信号を受信するための単一受信ビームを生成する。
　
　図3Aおよび3Bは、それぞれ図2のアンテナシステム22の、中央部26の上面図および側面図である。図3Bに示されるとおり、中央UHFエレメント28は、上部伝導プレート40と下部伝導プレート42を有するスタックパッチ放射エレメントを備える。2つのプレート40および42は、実質的に互いに平行であり、実質的に厚さが均一なスペース44で隔てられている。スタックパッチが送信モードで使用される場合、電磁信号は2つのプレートの一方（つまり被動プレート）に送出され、このプレートで電流を生成する。次に、被動プレートの電流は、2つのプレートのもう一方（つまり寄生プレート）に電流を誘導するフィールドを被動プレートの周囲に生成する。2つのプレートで生成された電流は、その後、非近接フィールドで結合し、比較的利得の高いアンテナ送信ビームを上部プレート40の面に垂直の方向に生成する。本発明の好適な実施形態のように、スタックパッチが受信モードで使用される場合、動作は上記のほぼ逆となる。上部プレート40または下部プレート42のいずれかが被動プレートとして動作するか、あるいは両方のプレートが同時に被動プレートおよび寄生プレートの両方の働きをする可能性がある。加えて、スタックパッチ構成にさらにプレートを追加し、インピーダンスおよびバンド幅、そして構成の非近接フィールドパターンのさらなるコントロールを得ることができる。
　
　中央Lバンドエレメント30および内部Lバンドリングアレー32は、スタックパッチ放射エレメントの上部伝導プレート40の上面に位置し、上部プレート40を接地面として使用する。図3Aに示されるとおり、中央Lバンドエレメント30は、上部プレート40の上面のほぼ中央に位置する。内部Lバンドリングアレー32のエレメントは、上部プレート40の中心から半径r1で等間隔に配置される。好適な実施形態では、中央Lバンドエレメント30および内部Lバンドリングアレー32の各エレメントは、マイクロストリップ伝送線路を使用して実装された交差ダイポール放射エレメントを備える。隣接したエレメントとの相互結合度が比較的低いことから、マイクロストリップ交差ダイポールエレメントが望ましい。好適な実施形態のマイクロストリップ交差ダイポールエレメントは、サポートチューブ46を使用して、上部伝導プレート40の上に持ち上げられる。」
　
　ニ．「FIG. 5 is a sectional side view illustrating the mechanical and electrical coupling between the center unit 26 and the rest of the antenna system 22 in one embodiment of the present invention. Dielectric standoffs 56 are used between the upper conductive plate 40 and the lower conductive plate 42 and between the lower conductive plate 42 and the support plate 24 to maintain substantially uniform spacings between these structures. The standoffs 56 are held in place, and the plates 40, 42, 24 are held together, by fastening means 58 (such as screws or bolts) placed through holes in the plates 40, 42, 24 and the standoffs 56 and second at a lower end by a nut 59 or other securing means. An electrical connector 60 is attached to the support plate 24 for providing a signal flow path to the center UHF element 28 (i.e., the stacked patch). The connector 60 is electrically connected to a UHF feed network 62 disposed upon an upper surface of the support plate 24 which receives signals from the stacked patch element through feed pins 64 connected to the lower conductive plate 42. Electrical connectors 66 are also used for providing a signal flow path to the L-band elements 30, 32 mounted on top of the upper conductive plate 40. The connectors 66 are coupled to transmission line sections which feed through a cylindrical channel 68 in the center of all three of the plate structures 24, 40, and 42. 
　
　Referring back to FIG. 2, the elements of the outer L-band ring array 34 are mounted directly to the support plate 24. As illustrated, the elements are equally spaced at a radius r.sub.2 from the center of the aperture. In one embodiment, the elements of the outer L-band ring array 34 comprise crossed dipole elements substantially identical to the elements of the inner L-band ring array 32. In another embodiment, the elements comprise axial-mode helical antennas. The elements of the outer L-band ring array 34 may also be modularized as discussed above. 
　
　The elements of the UHF ring array 36 are also mounted directly to the support plate 24 and are equally spaced at a radius r.sub.3 from the center of the aperture. In the preferred embodiment, the UHF ring array 36 comprises seven quadrafilar helical antenna elements, such as the one illustrated in FIGS. 6A and 6B. As illustrated in the figures, the quadrafilar helical antenna element 70 includes four conductive strips 72A-72D which are each wrapped around a cylindrical support structure 74 to form a helix. The strips 72A-72D are fed using a balun 76 extending through the center of the support structure 74. Quadrature hybrids (not shown) are used to create (or combine) two balanced signals having a 90-degree phase difference therebetween for application to the two pairs of opposing strips 72A/72B and 72C/72D. The hybrids may also be used to combine quadrature signals upon reception by the element 70. In this way, the antenna element 70 is capable of transmitting and/or receiving a circularly polarized electromagnetic wave. The cylindrical support structure 74 may include an epoxy fiberglass outer housing having a number of laminated epoxy fiberglass/honeycomb disks located therein for support. A laminated reinforcing hoop may also be placed at the base of the housing for further support. Such a support structure is very light weight yet provides a large degree of structural integrity without degrading RF performance. 」（７欄７〜６５行）
　
　訳文「図5は、センターユニット26とアンテナシステム22のその他の機械的および電気的結合を示す、本発明の1つの実施形態の側断面図である。上部伝導プレート40と下部伝導プレート42の間、そして下部伝導プレート42とサポートプレート24の間には、誘電絶縁体56が使用され、これらの構造の間にほぼ均一な間隔が保たれる。固定手段58（ネジまたはボルトなど）をプレート40、42、24、および絶縁体56の穴に通し、下端でナット59またはその他の固定手段によって固定することにより、絶縁体56が所定の位置に保持され、プレート40、42、24は留め合わされる。電気コネクタ60は、中央UHFエレメント28（つまりスタックパッチ）への信号伝達経路を提供するため、サポートプレート24に取り付けられる。コネクタ60は、下部伝導プレート42に接続されたフィードピン64を通じて、スタックパッチから信号を受信する、サポートプレート24の上面に配置されたUHFフィードネットワーク62に電気的に接続される。また、電気コネクタ66は、上部伝導プレート40の上面に取り付けられたLバンドエレメント30、32への信号伝達経路を提供するのにも使用される。コネクタ66は、3つのプレート構造24、40、および42のすべての中心で、円筒形チャンネル68を通じてフィードする伝送線路部分に結合される。
　
　図2に戻ると、外部Lバンドリングアレー34のエレメントは、サポートプレート24に直接取り付けられる。図示されているとおり、エレメントはアパーチャの中央から半径r2で等間隔に配置される。1つの実施形態では、外部Lバンドリングアレー34のエレメントは、内部Lバンドリングアレー32のエレメントとほぼ同一の交差ダイポールエレメントを備える。別の実施形態では、エレメントは、軸モードヘリカルアンテナを備える。また、外部Lバンドリングアレー34のエレメントは、前述のとおり、モジュール化することも可能である。
　
　UHFリングアレー36のエレメントもサポートプレート24に直接取り付けられ、アパーチャの中央から半径r3で等間隔に配置される。好適な実施形態では、UHFリングアレー36は、図6Aおよび6Bに示されているような、7つの4線巻ヘリカルアンテナエレメントを備える。図に示されるように、4線巻ヘリカルエレメント70は、それぞれ円筒形サポート構造74の周囲に巻き付けられ、螺旋を形成する、4つの導電ストリップ72A〜72Dを含む。ストリップ72A〜72Dは、サポート構造74の中心を通して延伸するバラン76を使用してフィードされる。直交ハイブリッド（示されていない）は、対向ストリップ72A／72Bおよび72C／72Dの2組に適用するため、90°の位相差を持つ2つの平衡信号を生成（または結合）するのに使用される。また、ハイブリッドは、エレメント70による受信の際、直交信号を結合するのにも使用できる。このようにすることでアンテナエレメント70は、円偏波された電磁波を送受信することが可能になる。円筒形サポート構造74は、サポートのためのエポキシ積層ファイバーグラス／ハニカムディスクを多数持った、エポキシファイバーグラスの外部ハウジングを含むことができる。サポート拡充のため、ハウジング基部に強化積層フープを配備することも可能である。そのようなサポート構造は、非常に軽量ながら、RFの性能を低下させることなく、高度の構造的完全性をもたらす。」
　
　上記引用例の記載及び図面ならびにこの分野における技術常識を考慮すると、上記摘記事項ハ．及び図2において、アンテナシステム22は、サポートプレート24を備えている。
　また、上記摘記事項ハ．、ニ．、図2、図3A、図3B及び図5において、内部Lバンドリングアレー32は、サポートプレート24から第一の距離だけ外部に延出する、離れて配置される複数の交差ダイポール放射エレメントを有して、Lバンドで動作することが読み取れる。
　また、上記摘記事項ハ．、ニ．、図2、図6A、及び図6Bにおいて、UHFリングアレー36 は、内部Lバンドリングアレー32の外側に配置され、第二の距離だけサポートプレート24から外部に延出する、離れて配置される複数の4線巻ヘリカルアンテナエレメントを有してUHFで動作することが読み取れる。　
　したがって、上記引用例には、以下の発明（以下、「引用発明」という。）が開示されている。
　
　「サポートプレート24と、
　前記サポートプレート24から第一の距離だけ外部に延出する、離れて配置される複数の交差ダイポール放射エレメントを有して、Lバンドで動作する内部Lバンドリングアレー32と、
　前記内部Lバンドリングアレー32の外側に配置され、第二の距離だけ前記サポートプレート24から外部に延出する、離れて配置される複数の4線巻ヘリカルアンテナエレメントを有してUHFで動作するUHFリングアレー36 と、
を備えるアンテナシステム22。」
　
４．対比
　本願発明と引用発明を対比する。
ａ．引用発明の「サポートプレート24」及び「第一の距離」は、本願発明の「基板」及び「第１の距離」に対応する構成であり、それぞれの間に実質的な差異はない。
ｂ．引用発明の「内部Lバンドリングアレー32」は、アンテナアレーであり、これを第１のアンテナアレーということができる。
ｃ．引用発明の「UHFリングアレー36」は、アンテナアレーであり、これを第２のアンテナアレーということができる。
ｄ．引用発明の「交差ダイポール放射エレメント」と、本願発明の「モノポールアンテナ素子」とは、いずれも、「アンテナ素子」という点で一致する。
ｅ．引用発明の「Lバンド」は、第１の周波数ということができる。
ｆ．引用発明の「第二の距離だけ前記サポートプレート24から外部に延出する」と、本願発明の「前記第１の距離よりも短い第２の距離だけ前記基板から外部に延出する」とは、上記ａ．から、いずれも、「特定の距離だけ前記基板から外部に延出する」という点で一致する。
ｇ．引用発明の「 4線巻ヘリカルアンテナエレメント」は、アンテナ素子の一種である。
ｈ．引用発明の「UHFで動作するUHFリングアレー36 」と、本願発明の「前記第１の周波数よりも低い第２の周波数で動作する第２のアンテナアレー」とは、上記ａ．、ｃ．及びｅ．から、いずれも、「特定の周波数で動作する第２のアンテナアレー」という点で一致する。
ｉ．引用発明の「アンテナシステム22」は、Lバンド及びUHFの周波数帯域で動作するから、多周波帯域アンテナである。
　したがって、本願発明と引用発明は、以下の点で一致ないし相違する。
　
＜一致点＞
　
「基板と、
　前記基板から第１の距離だけ外部に延出する、離れて配置される複数のアンテナ素子を有して、第１の周波数で動作する第１のアンテナアレーと、
　前記第１のアンテナアレーの外側に配置され、特定の距離だけ前記基板から外部に延出する、離れて配置される複数のアンテナ素子を有して特定の周波数で動作する第２のアンテナアレーと、
を備える多周波帯域アンテナ。 」
　
＜相違点１＞
　
　第１のアンテナアレーの「アンテナ素子」に関し、本願発明は、「モノポール」であるのに対し、引用発明は、交差ダイポールである点。
　
＜相違点２＞
　
　第２アンテナアレーの「特定の距離」に関し、本願発明は、「第１の距離よりも短い」第２の距離であるのに対し、引用発明は、距離が不明な点。
　
＜相違点３＞
　
　第２アンテナアレーの「特定の周波数」に関し、本願発明は、「第１の周波数よりも低い」第２の周波数であるのに対し、引用発明は、UHFである点。
　
５．検討
　そこで、上記相違点１について検討する。
　アレーアンテナにおいて、アンテナ素子としてモノポールを用いることは、例えば、特公昭５２−７７０７号公報に開示されているように周知であり、引用発明に周知技術を採用することに特段の阻害要因は見あたらないから、引用発明の交差ダイポールをモノポールに代えて本願発明のように構成することは、当業者が容易に成し得ることである。
　
　次に、上記相違点２について検討する。
　多周波帯域アンテナにおいて、各アンテナアレーにおけるアンテナ素子の基板からの距離は、アンテナ素子の動作周波数に対応した多周波帯域アンテナ全体としての放射特性等を考慮して、実験又はシミュレーション等により決定する設計的事項であり、第１の距離よりも短い第２の距離とすることは当業者が適宜成し得ることである。
　
　次に、上記相違点３について検討する。
　引用発明の各アンテナアレーにおけるアンテナ素子の動作周波数は、Lバンド及びUHFであるが、UHFはLバンドを含みLバンドより低周波数帯域に拡がる広い周波数帯域であるから、UHF周波数帯域の中でより具体的な動作周波数として、第１の周波数よりも低い動作周波数を選択する程度のことは当業者が適宜成し得ることである。
　
　そして、審判請求書の【本願発明が特許されるべき理由】における請求人の主張は、「引用例には、放射エレメントがモノポールアンテナである点を明示的に教示しておらず、更に「モノポール」という言葉すら記載されていないため、本願発明の課題を達成するに際して、引用例の多周波アンテナにモノポールアンテナを適用することは、当業者にとって容易ではない。」ということであるが、上記相違点１についての検討で、すでに指摘したように、モノポールアンテナとすることに格別な困難性はなく、しかも、本願発明の作用効果も、引用発明及び周知技術から当業者が容易に予測できる範囲のものにすぎない。
　
６．むすび
　以上のとおり、本願発明は、引用発明及び周知技術に基づいて、当業者が容易に発明をすることができたものと認められるから、特許法第２９条第２項の規定により特許を受けることができない。
　
　よって、結論のとおり審決する。